Podtech/llm-jp-corpus-v4-ja_patent huggingface dataset:
(57)【特許請求の範囲】
【請求項１】
天然繊維であるオーガニックコットンを未晒のまま綾織りにしてその両面に起毛加工を施した布であって、義歯と口腔の空隙を埋めるための前記布と、天然繊維である楮を未晒のまま漉いた和紙と、を有し、前記布と前記和紙が、咀嚼に耐える剛性と吸着力を備えるように本蕨粉に水を加えた天然のゲルを用いて接合されている、義歯を口腔内に安定させるシート。
【請求項２】
口腔内での雑菌の繁殖を抑えるため、前記ゲルに天然の抗菌剤である柿タンニンが加えられている請求項１のシート。
【発明の詳細な説明】
【技術分野】
【０００１】    本発明は、義歯を口腔内に安定させる義歯安定剤に関する。
【背景技術】
【０００２】  従前から様々な義歯安定剤が市販されている。従来の義歯安定剤には化学物質が用いられ、その粘着力によって義歯を口腔内に安定させている。
【発明の概要】
【発明が解決しようとする課題】
【０００３】  義歯安定剤の主たる使用者である高齢者等にとって化学物質の名称は難解であるため、その化学物質を含む義歯安定剤を使用することによって身体に影響を受けるのではないかという不安感が拭えない。【０００４】  また従来の義歯安定剤は粘着力によって義歯を安定させているため、義歯に粘着した安定剤を洗浄によって完全に除去することが難しい、そのため義歯に残留した安定剤に雑菌が繁殖して口腔内が不衛生になり、様々な感染症の原因となる危険性がある。【０００５】    さらに従来の義歯安定剤を完全に除去するには専用の洗剤等を用いて洗浄を行う必要があるため、専用洗浄剤等を常時携帯するなどしない限り、水洗しかできない環境では十分な洗浄を行うことができない。【０００６】    加えて従来の義歯安定剤は専用の洗剤等を用いても洗浄に長時間を要するため、公共の洗面所など人目がある場所での洗浄は、周囲に不快感を与えるのではないかと危惧したり義歯を外した状態を見られたくないと感じるなど心理的負担が大きい。
【課題を解決するための手段】
【０００７】  化学物質を含む義歯安定剤を使用することの不安を払拭するため、天然の素材であるオーガニックコットン・楮・本蕨粉・柿タンニン・水のみを用いた義歯安定剤を作成する。【０００８】  まず義歯と口腔の間に生じる空隙を埋めるための素材として、オーガニックコットンを未晒のまま綾織りにしその両面に起毛加工を施した布（以下、単に布という）を用いる。ここで用いられているオーガニックコットンは、日本オーガニックコットン流通機構の定めにより化学肥料・殺虫剤・除草剤等の農薬を３年以上使用していない農地において栽培されており、さらに漂白剤を用いることなく未晒のまま織り上げられているため使用に不安感がない、また綾織りであることにより、それによって得られる厚みが義歯と口腔の空隙を適切に埋める役割を果たすとともに、布の端からの糸のほつれを抑えることができる。さらにこれに両面起毛加工が施されていることにより、一方は口腔に接する面として快適な柔軟さを備え、他方は後述する和紙との接合強度を高める機能をもつ。【０００９】  この布に咀嚼に耐える剛性を加えるため、楮の繊維を未晒のまま漉いた和紙（以下、単に和紙という）を接合する。ここで用いられている楮は和紙の素材のなかで最も長く強靭な繊維をもつことから、これを漉いた和紙を布に接合することで咀嚼に耐える剛性を与えることができる。また楮もオーガニックコットンと同様に未晒のまま漉かれているため、その使用に不安感がない。【００１０】  これらの布と和紙の接合には、本蕨粉を水で溶いた天然のゲル（以下、単にゲルという）を用いる。本蕨粉は蕨餅など食用にも広く用いられていることから、その使用に不安感がない。このゲルを布に塗布して和紙を接合することにより、布と和紙の両面に吸着力をもち咀嚼に耐える剛性を備えたシート（以下、単にシートという）を得ることができる。【００１１】  このシートを乾燥させたのち義歯の形状にあわせて裁断する。裁断したシートを浸水させたのち、和紙面を義歯に吸着させ、布面を口蓋に吸着させることで義歯を口腔内に安定させることができる。【００１２】  また本蕨粉をはじめ天然の素材は化学物質に比べて雑菌が繁殖しやすいことからそれらを抑えるため、本蕨粉に加える水にあらかじめ柿タンニンを混合しておく。柿タンニンはうがい薬としても使われるなどその抗菌作用は広く知られており、天然の抗菌剤としてその使用に不安感がない。
【発明の効果】
【００１３】  天然の素材だけを用いて口腔内に義歯を安定させることができる。【００１４】  本シートを構成するオーガニックコットン・楮・本蕨粉・柿タンニンはいずれも伝統的に用いられてきた天然素材であるため、本シートを使用することによって身体に影響を受けるのではないかという不安感を払拭することができる。【００１５】  シートの吸着力だけで義歯を安定させているため、シートを義歯から剥がし、残留するゲルを水洗いするだけで容易に完全除去することができる。これにより残留した義歯安定剤に雑菌が繁殖して口腔内が不衛生になるという課題を解決することができる。【００１６】  さらに水洗ができる環境さえあれば、洗浄をして残留するゲルを完全に除去することができる。【００１７】  また短時間で洗浄できるため、公共の洗面所などでも心理的負担を感じることなく洗浄が行える。
【発明を実施するための形態】
【実施例】
【００１８】  水に柿タンニンをくわえて柿タンニン液を作成する。【００１９】  この柿タンニン液で本蕨粉を溶き、本蕨粉ゲルを作成する。本蕨粉に加える柿タンニン液の分量は、本蕨粉ゲルを布の片面に塗布した際、布に浸透しかつゲルを塗布していない裏面の起毛が失われない濃度に調整する。これは調整を行う環境の温度・湿度によって変化する。【００２０】  布の片面にゲルを塗布し、そこに和紙を重ねあわせて乾燥させることで布と和紙を接合する。【００２１】  布と和紙を接合したシートを義歯の形状にあわせて裁断したのちに浸水させ、和紙面を義歯に吸着させ、布面を口蓋に吸着させることで義歯を口腔内に安定させる。
【図面の簡単な説明】
【００２２】
【図１】本発明の天然義歯吸着シートの断面拡大図
【符号の説明】
【００２３】  １  オーガニックコットンを未晒のまま綾織りにしその両面に起毛加工を施した布  ２  上記の布の起毛部  ３  柿タンニンを加えた水で溶いた本蕨粉ゲル  ４  楮を未晒のまま漉いた和紙
【図１】
0006380898.tif 000002
(57)【特許請求の範囲】
【請求項１】
アイスクリーム等の冷凍菓子を掬うアイススプーンにおいて、このアイススプーンは皿部と、この皿部から延在する柄部とから構成され、この柄部から皿部の底部と縁部までは連続した金、銀、銅、アルミニュームの何れか又はこれらを含む合金で形成し、皿部の内面はセラミック、ベークライト、プラスチック、木・竹材の何れかを含む柄部から皿部の底部と縁部の熱伝導率より低い熱伝導率の材料で形成したことを特徴とするアイススプーン。
【発明の詳細な説明】
【技術分野】
【０００１】
この発明は、アイスクリーム等の冷凍菓子を掬って食するためのアイススプーンに関する。
【背景技術】
【０００２】
アイスクリーム等の冷凍菓子を食する際は、凍結した冷凍菓子を冷凍庫から取り出し、アイススプーンで掬って食べるのが普通である。しかしながら、そのままだと冷凍菓子は凍結しているので、硬くてアイススプーンが突き刺さらず食べられなかった。その為、柔らかくなるまで待たなければならないという問題があった。一方、冷凍菓子は解けて柔らかくなると食感が劣って美味しさが減少する問題もあった。
【先行技術文献】
【特許文献】
【０００３】
【特許文献１】特開平８−２３８１５６
【発明の概要】
【発明が解決しようとする課題】
【０００４】
このような問題を解決するために、特許文献１のような技術が開示されていた。この技術では、スプーンに発熱体１９を備え、バッテリー８により強制的にスプーンを温めて、アイスクリームを溶かすものである。しかしながら、この技術は構造が複雑で、嵩張り、重くなって、簡単に洗うこともできないという欠点があり、実用的でなかった。さらに、アイスクリームが解けて食感を損なうという問題は解決されていなかった。
【０００５】
一方、市販されている商品の技術ではアルミニューム等の金属でスプーンを形成することにより、手から伝導される熱によりアイスクリームを溶かすものがあった。しかしながら、この技術でも次の問題点があった。
１．掬ったアイスクリームがスプーンで温められて溶けてしまい、食感が悪くなると共に、ポタポタ滴下してしまう。
２．掬ったアイスクリームでスプーンが冷やされるため、アイスクリームを溶かす能力が継続しない。
３．掬ったアイスクリームでスプーンが冷やされて、手が冷たく感じる。
【課題を解決するための手段】
【０００６】
アイスクリーム等の冷凍菓子を掬うアイススプーンにおいて、このアイススプーンは皿部と、この皿部から延在する柄部とから構成され、この柄部から皿部の底部と縁部までは連続した高熱伝導率材で形成し、皿部の内面は低熱伝導率材で形成したことを特徴とするアイススプーンである。
【発明の効果】
【０００７】
上記の問題点を解決し、冷凍菓子を冷たいままで美味しく食せるアイススプーンを提供することができる。
【図面の簡単な説明】
【０００８】
【図１】第一の実施例のアイススプーンの平面図である。
【図２】第一の実施例のアイススプーンの正面図である。
【図３】第一の実施例のアイススプーンを示す図１のAA断面図である。
【図４】第二の実施例のアイススプーンの平面図である。
【図５】第二の実施例のアイススプーンを示す図４のBB断面図である。
【発明を実施するための形態】
【０００９】
アイスクリーム等の冷凍菓子を掬うアイススプーンにおいて、このアイススプーンは皿部と、この皿部から延在する柄部とから構成され、この柄部から皿部の底部と縁部までは連続した高熱伝導率材で形成し、皿部の内面は低熱伝導率材で形成したことを特徴とするアイススプーンである。
【００１０】
上記の高熱伝導率材として、金、銀、銅、アルミニュームの何れかやこれらを含む合金としたことを特徴とするアイススプーンである。
上記のアイススプーンの低熱伝導率材は、プラスチック、セラミック、ベークライト、ホーロー、木・竹材、塗料の何れかを含むことを特徴とするアイススプーンである。
【実施例】
【００１１】
図１、図２、図３により、第一の実施例のアイススプーンを説明する。アイスクリーム等の冷凍菓子を掬うアイススプーン１０は、皿部２０と、この皿部２０から延在する柄部３０とから構成されている。皿部２０は、底部２２と縁部２３と内面２４とから構成されている。底部２２と縁部２３は高熱伝導率材で形成され、内面２４は低熱伝導率材で形成されている
【００１２】
高熱伝導率材としては、金、銀、銅、アルミニュームやこれらの合金が挙げられ、低熱伝導率材としては、プラスチック、セラミック、ベークライト、ホーロー、木・竹材、塗料等が挙げられる。
【００１３】
柄部３０は、手から熱を吸収する為に表面積を可能な限り大きくしてある。また、柄部３０から皿部２０に熱を伝えやすくする為、断面積を可能な限り大きく取ってある。柄部３０と皿部２０の底部２２と縁部２３は同一材料で一体に作ってある。
【００１４】
皿部２０の内面２４は、底部２３と縁部２２とで作られる凹部に埋め込んで、接着・融着されて組み込まれる。又は、低熱伝導率材塗布・塗装等により、内面２４を形成してもよい。
【００１５】
このような構成とすることにより、縁部２３がアイスクリーム等に接触すると、アイススプーン１０の持っている熱と、人の手から柄部３０、底部２２、縁部２３と伝わった熱により、アイスクリーム等が溶かされる。アイスクリーム等が溶かされると、アイススプーン１０の皿部２０がアイスクリーム等の中に挿入され、アイスクリーム等を容易に掬い上げることができる。
【００１６】
アイスクリーム等が掬い上げられると、アイスクリーム等は内面２４に接触する。内面２４は、低熱伝導率材で作られているので、アイスクリーム等には熱が伝わり難い。この為、アイスクリーム等が溶かされて食感を損ねたり、溶けたアイスクリーム等がポタポタ落ちたりすることを防止できる。又、アイススプーン１０から余分な熱が逃げないので、アイススプーン１０が過度に冷やされることも防止できる。
【００１７】
図４、図５は第二の実施例のアイススプーンであり、先端部に切り込み部２５を設けてものである。切り込み部２５は、鋭角の角度を持たせて、アイスクリーム等に切り込み易くしたものである。又、内面２４は、低熱伝導率材である塗装やコーティング材によりコーティングしたものである。
【産業上の利用可能性】
【００１８】
この発明のアイスクリーム等の冷凍菓子用のアイススプーンであるが、バター等、冷蔵庫で冷やされて硬くなった食品用にも利用が可能である。
【符号の説明】
【００１９】
１０はアイススプーン
２０は皿部
２２は底部
２３は縁部
２４は内面
２５は切り込み部
３０は柄部
【図１】
0006277339.tif 000002
【図２】
0006277339.tif 000003
【図３】
0006277339.tif 000004
【図４】
0006277339.tif 000005
【図５】
0006277339.tif 000006
(57)【特許請求の範囲】
【請求項１】
前側に位置する表面と、後側に位置する底面とで構成し、綿生地の内部に低反発ウレタンチップを充填したパッド本体で構成する乳がん患者用胸パッドにおいて、
前記パッド本体の前記底面を平面とし、前記パッド本体の下側で最も前側に突出するように構成し、
前記パッド本体の下端に、前記パッド本体の最大幅よりも最大幅を小さく構成した、ブラジャーに挟むことが可能な羽を設け、
前記パッド本体の前記底面に薄いパッドを挿入することが可能なポケットを設けた
ことを特徴とする乳がん患者用胸パッド。
【請求項２】
胸部との密着側に位置する綿生地の底面と、反底側である前側に位置する綿生地の表面とで構成し、前記綿生地で囲まれた内部に低反発ウレタンチップを充填したパッド本体で構成する乳がん患者用胸パッドにおいて、
前記パッド本体の前記底面を平面とし、前記表面を前記パッド本体の前側に突出するように構成し、
前記パッド本体の下端に、前記パッド本体の最大幅よりも最大幅を小さく構成した、ブラジャーに挟むことが可能な羽を設け、
前記パッド本体の前記底面に薄いパッドを挿入することが可能なポケットを設けた
ことを特徴とする乳がん患者用胸パッド。
【発明の詳細な説明】
【技術分野】
【０００１】  本発明は、乳がんで乳房を切除した人にために工夫したもので、他の人が胸部を見たときに、切断したことがわからないように補うことができる乳がん患者用胸パッドに関するものである。
【背景技術】
【０００２】  乳がん患者が手術により乳房を切除した後、見た目を補うために、補正用の胸パッドを利用したり、タオルやハンカチなどを丸めてブラジャーに入れていた。
シリコン製の商品は販売されているが、高価であり、洗濯ができないものが多い。
また、シリコン製やジェル入りのパッドは通気性が悪く、肌に悪影響を及ぼしていた。
【先行技術文献】
【特許文献】
【０００３】
【特許文献１】  特開２００２−３０９４０９号公報
【発明の概要】
【発明が解決しようとする課題】
【０００４】  従来の、胸を大きく見せるためのパッドは、底面がくぼんでおり、平らな胸に装着すると隙間ができてしまい、身体にフィットしない。
シリコン製のパッドは、通気性が悪く、蒸れて皮膚が荒れることがある。
タオルやハンカチでは、ゴワゴワして乳房の柔らかさが再現できず、左右のバランスが取れない。
高価である。
パッドがずれる。
【課題を解決するための手段】
【０００５】  パッド本体（１）で隙間ができてしまうことを解消するために、パッド本体（１）の底面（３）を平らにする。
パッド本体（１）がずれてしまうことを解消するために、パッド本体（１）に羽（４）を付ける。
パッド本体（１）の高さが合わないことを解消するために、パッド本体（１）の底面（３）にポケット（５）を付ける。
以上のように構成された乳がん患者用胸パッドである。
従来の、胸を大きく見せるためのパッド（１）で隙間ができてしまうことを解消するために、底面（３）を平らにした。
シリコン製は高価で、通気性が悪く、皮膚が荒れることを解消するために、綿の布地を使用し、安価で製作した。
また、洗濯機で洗濯できるようにした。
そして、タオルやハンカチでは再現できない、乳房の柔らかさを再現するために、中身に低反発ウレタンチップを充填した。
【発明の効果】
【０００６】  パッド本体（１）で隙間ができてしまうことを解消するために、パッド本体（１）の底面（３）を平らにする。
パッド本体（１）の底面（３）を平らにすることで、胸と密着し、ずれる不安が軽減し、違和感もなくなった。
パッド本体（１）に羽（４）を付けることで、ブラジャーに挟むことにより、さらにずれる不安が軽減した。
パッド本体（１）の底面（３）にポケット（５）を付けることで、薄いパッドを挿入してパッド本体（１）の高さを調節できるようになった。
綿生地と低反発ウレタンチップで製作することで、安価になり、また、洗濯が可能になり、清潔が保たれ、肌荒れも防ぐことができた。
低反発ウレタンチップを充填することで、乳房の柔らかさを再現し、装着時の違和惑を軽減した。
また、洗濯が可能になり、清潔が保たれ、肌荒れも防ぐことができる。
さらに、乳房の柔らかさを再現し、装着時の違和感を軽減できる。
安価で製作することで、経済的負担を軽減できる。
【図面の簡単な説明】
【０００７】
【図１】  本発明の正面図である。
【図２】  本発明の側面図である。
【図３】  本発明の底面図である。
【図４】  本発明の断面図である。
【発明を実施するための形態】
【０００８】  以下、本発明の実施の形態を説明する。
パッド本体（１）で隙間ができてしまうことを解消するために、パッド本体（１）の底面（３）を平らにする。
パッド本体（１）の表面（２）に羽（４）を設ける。
パッド本体（１）の底面（３）にポケット（５）を設ける。
以上のように構成された乳がん患者用胸パッドである。
従来の、胸を大きく見せるためのパッドで隙間ができてしまうことを解消するために、底面（３）を平らにした。
シリコン製は高価で、通気性が悪く、皮膚が荒れることを解消するために、綿の布地を使用し、安価で製作した。
また、洗濯機で洗濯できるようにした。
そして、タオルやハンカチでは再現できない、乳房の柔らかさを再現するために、中身に低反発ウレタンチップを充填した。
図１において、上部を狭く、下部を広くし、自然な乳房の形を形成する。
図２において、上部を薄く、下部を厚くし、自然な乳房の形を形成する。
図３において、平らな胸に装着しても隙間のないよう、底面を平らにする。
図４において、中身に低反発ウレタンチップを充填する。
本発明を使用するときは、ブラジャーのカップ部分にパッド本体（１）を装着する。
【符号の説明】
【０００９】    １  パッド本体
２  表面
３  底面
４  羽
５  ポケット
【図１】
0006430214.tif 000002
【図２】
0006430214.tif 000003
【図３】
0006430214.tif 000004
【図４】
0006430214.tif 000005
(57)【特許請求の範囲】
【請求項１】
３つの固定の凸点を設けたパッド体を有し、
前記３つの固定の凸点は、人体の楕円踵が接する領域に形成され、かつ尖端部がつま先方向へ向いた前方三角形を形成するように配置されていることを特徴とする踵の安定装置。
【請求項２】
３つの固定の凸点を設けた靴の中敷きを有し、
前記３つの固定の凸点は、人体の楕円踵が接する領域に形成され、かつ尖端部がつま先方向へ向いた前方三角形を形成するように配置されていることを特徴とする踵の安定装置。
【請求項３】
前記中敷きが靴の底面に設けられることを特徴とする請求項２に記載の踵の安定装置。
【請求項４】
前記踵の安定手段として中敷き本体が靴の底部の下に凹点を設けられることを特徴とする請求項１に記載の踵の安定装置。
【発明の詳細な説明】
【技術分野】
【０００１】
この発明は靴の中敷き、もしくは靴の底の構造に関し、特に踵の位置を安定させる踵の安定装置に関する。
【背景技術】
【０００２】
経済の発展にともない、いわゆる文明病も多々発生した、そのうち慢性の疼痛は、もっとも多くみられる症状の一つである。慢性の疼痛を引き起こす主な原因は、骨格と筋肉のバランスが失われることにある。人類は四足で這うことから始まり、数百万年の進化を経て直立歩行を習得した。直立し、歩行するためには、身体のバランスを維持しなければならならず、そのために代替の補償の作用を生じさせなければならない。よって、様々な不良の姿勢が、各種疼痛を引き起こす。係る知見に基づき、身体の関節、筋肉がバランスの取れた姿勢を維持するためにはどうすればよいか、医学界の専門家、もしくは科学者は研究を重ねてきた。
【０００３】
上述する情状に鑑み、これまで種々の靴の中敷きなどは考案されてきた。例えば、図３に開示する従来の靴の中敷き９０は、踵に接する部分の左右、及び後方に壁面を一体に形成し、踵を包むように設計してある。係る中敷きを靴に装着した場合、人体の踵はバランスの取れたものではないので、使用中に踵が中敷きの一方の側に寄りやすい。このためＰＯＳＴ接触の原因を構成し、容易に違和感を与える。即ち、かかる構造は、踵の位置が偏ることがなく、踵の関節を十分に安定させているとは言えない。よって、骨格と筋肉の理想的なバランスを維持するための改善が望まれている。
【発明の概要】
【発明が解決しようとする課題】
【０００４】
この発明は、踵の位置を安定させ、踵の関節を保護し、骨格と筋肉の理想的なバランスを維持することのできる踵の安定装置を提供することを課題とする。
【課題を解決するための手段】
【０００５】
そこで、本発明者は、従来の技術に見られる欠点に鑑み鋭意研究を重ねた結果、３つの固定の凸点を設けたパッド体を有し、前記３つの固定の凸点は、人体の楕円踵が接する領域に形成され、かつ尖端部がつま先方向へ向いた前方三角形を形成するように配置されている構造によって課題を解決できる点に着眼し、係る知見に基づいて本発明を完成させた。以下、この発明について具体的に説明する。
【０００６】
請求項１に記載する踵の安定装置は、３つの固定の凸点を設けたパッド体を有し、前記３つの固定の凸点は、人体の楕円踵が接する領域に形成され、かつ尖端部がつま先方向へ向いた前方三角形を形成するように配置されている。
【０００７】
請求項２に記載する踵の安定装置は、３つの固定の凸点を設けた靴の中敷きを有し、前記３つの固定の凸点は、人体の楕円踵が接する領域に形成され、かつ尖端部がつま先方向へ向いた前方三角形を形成するように配置されている。
【０００８】
請求項３に記載する踵の安定装置は、請求項２における中敷きが靴の底面に設けられる。
【０００９】
請求項４に記載する踵の安定装置は、請求項２における前記踵の安定手段として中敷き本体が靴の底部の下に凹点を設けられる。
【図面の簡単な説明】
【００１０】
【図１】この発明による靴の中敷きを示した斜視図である。
【図２】他の実施の形態を示した説明図である。
【図３】従来の靴の中敷きを示した斜視図である。
【発明を実施するための形態】
【００１１】
この発明には、踵の位置を安定させ、踵の関節を保護し、骨格と筋肉の理想的なバランスを維持することのできる踵の安定装置を提供するものであって、３つの固定の凸点を設けたパッド体、若しくは靴の中敷きを有し、前記３つの固定の凸点は、人体の楕円踵が接する領域に形成され、かつ尖端部がつま先方向へ向いた前方三角形を形成するように配置されている。係る踵の安定装置の構造と特徴を説明するために、具体的な実施例を挙げ、図面を参照にして以下に詳述する。
【実施例１】
【００１２】
図１に開示するように、この発明による踵の安定手段は、中敷き本体１０と、中敷き本体１０上に設けた複数の凸点１１、１２、１３とによってなる。実施例においては凸点１１、１２、１３と３つ設けているが、但しこの数に限定することはなく、３つ以上であってもよい。また、凸点の上面の形状は、図示する円形に限らず、中敷き本体１０から突出していれば、如何なる形状であってもよい。
【００１３】
中敷き本体１０は靴の中に敷き、一方の面が足の裏に接するものであって、主に緩衝材によってなる。複数の凸点１１、１２、１３は、踵の中敷き本体１０に接する楕円形の部分の外周縁に沿って分布させる。
【００１４】
上述する構造によれば、中敷き本体１０上の踵の位置を安定させることによって踵関節の安定した作用が得られる、このため、体の姿勢のバランスを容易に維持することができ、身体の調整能力を活性させるという目的を達成することができる。
【実施例２】
【００１５】
上述する実施例は、この発明を靴の中敷きに応用したものであるが、当然のことながら靴の足に接触する面に同様の構造を設けても、同様の効果が得られる。即ち、図２に開示するように、凸点１１ａ、１２ａ、１３ａを中敷き本体１０上ではなく、靴の底面１０ａ上に直接設ける。
【００１６】
また、凸点１１ａ、１２ａ、１３ａ上に一般の靴の中敷きを別途設けても、同様に、踵の位置を安定させることによって踵関節の安定した作用を得る、というこの発明の目的、効果を達することができる。
【符号の説明】
【００１７】
１０          中敷き本体
１０ａ        底面
１１          凸点
１１ａ        凸点
１２          凸点
１２ａ        凸点          
１３          凸点
１３ａ        凸点
９０          中敷き
【図１】
0006335464.tif 000002
【図２】
0006335464.tif 000003
【図３】
0006335464.tif 000004